(57)【要約】【課題】床部を最低高さに調節した際に、床部昇降機構または床部昇降機構を支持する部材側に当接部材を設けて、機構自体の負担を軽減する。【解決手段】基部フレーム５内側において、先端側を基部フレーム５長手方向外方に若干傾斜させて設けた取付部材９の基端側に、ハイローリンク１０を受け止める当接部９ａを設ける。前記ハイローリンク１０側に当接部材１３を設けて、ハイローリンク１０を下降傾斜させた際に、取付部材９基端側の当接部９ａに、ハイローリンク１０下辺側の当接部材１３を介してハイローリンク１０を突き当たるようにする。その場合、ハイローリンク１０，１０で支えるメインフレーム３の下辺側を、前記基部フレーム５に、若干の隙間を隔てて近接する設定とし、床部２の下限高さとする。前記当接部材１３には、合成樹脂素材や、合成ゴム等を用いることができる。【選択図】              図１
2004147896.tif 000002
【特許請求の範囲】
【請求項１】
基部フレームに対し、床部を載置するメインフレームを、起動手段によって床部昇降機構を作動させて昇降支持する構成とし、前記メインフレームを最低位置に調節した際に、床部昇降機構と床部昇降機構を取り付ける取付部材とを当接部材を介して当接する構成としたことを特徴とするベッド装置。
【請求項２】
前記床部昇降機構は、前記基部フレームの一端側および他端側近傍にそれぞれ設けた横フレームに突設した取付部材に、基端側を変位可能に軸止めしたハイローリンクと、このハイローリンク先端に横軸を介して設けた、前記起動手段と連結して動力を受ける起動腕とを有し、前記当接部材を取付部材またはハイローリンク側に設ける構成としたことを特徴とする請求項１記載のベッド装置。
【請求項３】
前記当接部材を、軟質性部材で構成したことを特徴とする請求項１または２記載のベッド装置。
【請求項４】
前記メインフレームを最低位置に調節した際に、基部フレームとメインフレームとを非接触状態とする設定としたことを特徴とする請求項１ないし３記載のベッド装置。
【発明の詳細な説明】
【０００１】
【発明の属する技術分野】
本発明は、ベッド装置に関し、特に、床部昇降機構において、床部を最低高さに調節した際に、床部昇降機構または床部昇降機構を支持する部材側に当接部材を設けて、機構自体の負担を軽減すると共に、基部フレーム側とメインフレームとが接触して物、人の足などが挟み込まれるのを防止できるようにした、ベッド装置に関するものである。
【０００２】
【従来の技術】
従来、床部昇降機能を有するベッド装置においては、基部フレーム上に一対の床部昇降機構を駆動手段で変位動作させ、床部を載置するメインフレームを昇降調節する構成のものが製品化されている（例えば特開２０００−７０３１１号）。
かかる構成のベッド装置において、床部を最低高さに調節した際に、例えば基部フレーム上面に、メインフレームの下面に配置した部材が当たる設計となっている。
また、床部昇降機構に、床部の高さを必要以上に下げることのないように規制する手段を設けたベッドもある（例えば特開２０００−１６６６９６号）。
【０００３】
【発明が解決しようとする課題】
しかしながら、前記基部フレームとメインフレームとが当たる箇所は、ベッド側面から近い位置にあり、このために、間違って、物や、人の足などを挟み込むようなおそれもある。
また、床部を最低高さに調節した際に、床部昇降機構である床部昇降機構や駆動手段が急激に停止を余儀なくされ、機構自体に負担がかかる結果となっている。
本発明は、以上のような課題を改善するために提案されたものであって、床部を最低高さに調節した際に、床部昇降機構または床部昇降機構を支持する部材側に直接ぶつかることのないように当接部材を設けて、機構自体の負担を軽減すると共に、基部フレーム側とメインフレームとが接触して物、人の足などが挟み込まれるのを防止できるようにした、ベッド装置を提供することを目的とする。
【０００４】
【課題を解決するための手段】
前記した課題を解決するために、本発明では、請求項１において、基部フレームに対し、床部を載置するメインフレームを、起動手段によって床部昇降機構を作動させて昇降支持する構成とし、前記メインフレームを最低位置に調節した際に、床部昇降機構と床部昇降機構を取り付ける取付部材とを当接部材を介して当接する構成としたベッド装置を提案する。
また本発明では、請求項２において、前記床部昇降機構は、前記基部フレームの一端側および他端側近傍にそれぞれ設けた横フレームに突設した取付部材に、基端側を変位可能に軸止めしたハイローリンクと、このハイローリンク先端に横軸を介して設けた、前記起動手段と連結して動力を受ける起動腕とを有し、前記当接部材を取付部材またはハイローリンク側に設ける構成としたベッド装置を提案する。
また本発明では、請求項３において、前記当接部材を、軟質性部材で構成したベッド装置を提案する。
さらに本発明では、請求項４において、前記メインフレームを最低位置に調節した際に、基部フレームとメインフレームとを非接触状態とする設定としたベッド装置を提案する。
【０００５】
請求項１によれば、床部を載置するメインフレームを、最低位置に調節した際に、床部昇降機構は、床部昇降機構と床部昇降機構を取り付ける取付部材とが、当接部材を介して当接することで動きが止められ、前記メインフレームは最低位置にて保持される。
【０００６】
請求項２によれば、メインフレームを最低位置に調節することで、床部昇降機構におけるハイローリンクが取付部材に当接部材を介して当接して、前記メインフレームを前記最低位置で保持することができる。
【０００７】
請求項３によれば、床部昇降機構と床部昇降機構を取り付ける取付部材とが、当接部材を介して当接しても、衝撃を緩和することができる。
【０００８】
請求項４によれば、メインフレームを最低位置に調節しても、基部フレームとメインフレームとは接触することはなく、ものや、人の足などの挟み込みを防止することができる。
【０００９】
【発明の実施の形態】
以下、本発明にかかるベッド装置につき、一つの実施の形態を示し、添付の図面に基づいて説明する。
図１に示すベッド装置１は、床部２を支えるメインフレーム３の床部昇降機構４を備えたものである。
すなわちこのベッド装置１では、基部フレーム５に床部２を支えるメインフレーム３を床部昇降機構４を介して支持する構成としている。また、前記床部昇降機構４には、起動手段６が接続され、起動手段６によって床部昇降機構４を作動させて、床部２を支えるメインフレーム３を上げ下げする構成である。
前記床部昇降機構４は、基部フレーム５における両端部のキャスタ７寄りの横フレーム８に突設した取付部材９を介して起伏可能に連結したハイローリンク１０，１０を備えている。
また、前記床部昇降機構４は、前記ハイローリンク１０の他端側に固定した横軸１１と、この横軸１１に、前記ハイローリンク１０に対して略直角方向に突設した、前記起動手段６に連結するための起動腕１２とを備えている。
なお、前記メインフレーム３は、前記横軸１１に受具３ａを介して支持するようにしている。
【００１０】
かかる構成の床部昇降機構４において、前記取付部材９は、横フレーム８に基部フレーム５内側において、先端側を基部フレーム５長手方向外方に若干傾斜させて設けている。一方、基端側を基部フレーム５長手方向内側に向け、横フレーム８斜め下方に突出させて、前記ハイローリンク１０を受け止める当接部９ａとしている。
【００１１】
また前記ハイローリンク１０は、前記取付部材９の厚さに比較して大きな間隔の空間Ｓを形成するように折り返し加工したものであり（図３参照）、横軸１１取付近傍において、前記空間Ｓ内に向けて嵌入固定し、下辺側に沿って若干突出させた当接部材１３を設けている。
前記ハイローリンク１０を下降傾斜させた際に、取付部材９における基端側の当接部９ａに、ハイローリンク１０下辺側の当接部材１３を介してハイローリンク１０が突き当たるようにしている。
その場合、ハイローリンク１０，１０で支えるメインフレーム３の下辺側は、前記基部フレーム５に、若干の隙間を隔てて近接する設定であり、かかる高さを床部２の下限高さとしている（図１参照）。
【００１２】
前記当接部材１３には、軟質性素材として例えば周知の合成樹脂素材や、合成ゴム等を用いることができる。
【００１３】
本発明にかかるベッド装置１は以上の通りであるので、床部２を載置するメインフレーム３を、最低位置に調節した際に、メインフレーム３を支える床部昇降機構４は、ハイローリンク１０側に配設した当接部材１３により、動きが止められ、前記メインフレーム３は最低位置にて保持される。
すなわち、起動手段６，６によって、双方の床部昇降機構４，４を変位させてハイローリンク１０を下降傾斜させていくと（図２参照）、取付部材９における基端側の当接部９ａに、ハイローリンク１０下辺側の当接部材１３を介してハイローリンク１０が突き当たる。
これによって、床部２を支えるメインフレーム３を最低位置で停止させることができる。
【００１４】
このとき、床部昇降機構４におけるハイローリンク１０と取付部材９とは、直接突き当たることはなく、合成樹脂素材や、合成ゴム等で構成した当接部材１３を介して突き当たるので、床部昇降機構４にかかる負担を軽減することができる。
また、この際、ハイローリンク１０，１０で支えるメインフレーム３の下辺側は、前記基部フレーム５に、若干の隙間を隔てて近接する設定であり、しかも、床部昇降機構４におけるハイローリンク１０と取付部材９との突き当たり箇所は、床部２下、基部フレーム５およびメインフレーム３の内側に位置するので（図３参照）、誤ってものを挟んだり、足を挟んだりするようなことはない。
【００１５】
以上、本発明にかかるベッド装置１について一例を挙げ、説明したが、ハイローリンク１０下辺側に当接部材１３を設ける代わりに、取付部材９における基端側の当接部９ａに当接部材１３を設けることもできる。
【００１６】
【発明の効果】
本発明によれば、床部を最低高さに調節した際に、床部昇降機構を構成する部材と取付部材同士が直接ぶつかることのないように当接部材を設けて、機構自体の負担を軽減することができる。
また、前記当接部材を介して突き当たる箇所は、基部フレームおよびメインフレームの内側に位置するので、物、人の足などが挟み込まれるおそれはない。
【００１７】
【図面の簡単な説明】
【図１】本発明にかかるベッド装置の最低床高状態にある側面説明図である。
【図２】図１に示す床部昇降機構の下降動作を示す、作用説明図である。
【図３】図２に示す床部昇降機構の要部斜視説明図である。
【符号の説明】
１                          ベッド装置
２                          床部
３                          メインフレーム
３ａ                        受具
４                          床部昇降機構
５                          基部フレーム
６                          起動手段
７                          キャスタ
８                          横フレーム
９                          取付部材
９ａ                        当接部
１０                          ハイローリンク
１１                          横軸
１２                          起動腕
１３                          当接部材
Ｓ                            空間
【図１】
2004147896.tif 000003
【図２】
2004147896.tif 000004
【図３】
2004147896.tif 000005